(57)【要約】      （修正有）【課題】震災用の仮設住宅、介護施設、高齢者用の一人住まい、地震・台風などでの停電・水道の停止による高層住宅からの避難の困難さ、及び、隣・近所との付き合い断絶からの孤独死の解消のための絆を考えた集合住宅の１戸建て平屋に快適な生活が出来る要件を反映した  特殊な形状のハウスを設置可とするハウス取付基礎構造を提供する。【解決手段】ハウス取付けの座面の基礎のセメント・ブロック２０の形状を、平面図で見た時にハウスの取付け座面と同形の大きさの梯形状に形成し、ハウスとの結合のためにアンカー・ボルト２４を前記セメント・ブロックに植え込む。さらに、ハウス取付けのハウス座面の木材を前記セメント・ブロックと同形の大きさの梯形状に形成した際に、前記アンカー・ボルトにナットを介することで前記ハウス座面を結合可能に構成する。【選択図】図５
0003181160.tif 000002
【実用新案登録請求の範囲】
【請求項１】
集合住宅の家を建てる周辺の平地には、集合住宅地内の家の外隣に菜園畑・健康用の運動場及び駐車場を構築形成し  且つ、
集合住宅地のほぼ中央部に介護士の詰所用のナース用  ハウジング（１０）を持ち、ナース  ハウジングの周囲と集合住宅の外側にトラック状の道（４６）を設け、道の周辺に設置する  １ケ建て平屋のハウスにおいて、            
イ）ハウス取付けの座面の基礎のセメント・ブロックの形状は、平面図でハウスの取付け座面と同形の大きさの  梯形状に形成し、
ハウスとの結合のために  アンカー  ボルトをセメント・ブロックに植え込みされ、
ロ）ハウス取付けのハウス座面の木材も同形の大きさの梯形状に製作され、
ハ）アンカー  ボルトに図示なきナットを介して  集合住宅のハウス座面を結合して、
構築されたことを特徴とする取り付けの  １ケ建て集合住宅用ハウス。
【請求項２】
イ）平面図で梯形状のハウスは、基礎のセメント・ブロックに取り付ケ時の向きに適合し簡単に組替え出来るようにユニット化され、
ロ）ハウスの組立を容易にするために  ハウスの構成品は、ユニット化され脱着容易に  ボルトとナットの結合になって構成された、
ことを特徴とする請求項１の  １ケ建て集合住宅用ハウス。
【請求項３】
梯形状のハウスの周囲の四辺で  一辺の長さが大きいところを  太陽の陽光が当る南側に来るように  ハウス取付けの基礎のセメント・ブロックに（構築し）設置し、
イ）平面図で梯形状をなしたハウス室内は、日常生活が便利な様に区切りされ、  
梯形状のハウスの周囲の四辺で一辺の長さが大きいところを  太陽の陽光が当る南側に来るように  ハウス取付け面の基礎のセメント・ブロックに合せ設置し、
ロ）ハウスと基礎工事のセメント・ブロックとの結合・脱着は、アンカー  ボルトにて図示なきナットを使用して構成してなることを、
特徴とする請求項１の  １ケ建て集合住宅用ハウス。
【考案の詳細な説明】
【技術分野】
【０００１】
本考案は、１ケ建て集合住宅用の  モデル  ハウス（３０）に関するものである。
【背景技術】
【０００２】
近年は、高齢化のニュースが頻繁に話題となっている。
高齢化については、いろいろな課題が発生している。
まず、  課題で  高齢化に伴う介護と住宅の問題があり、これは  国益に関する膨大な経済も絡んでいる。
一方、近年に地震・集中豪雨などの記録破りの天災での避難対応で、仮設住宅での高齢化の介護と住宅の問題も絡んできたことで  問題も非常に複雑になっている。
他方  核家族に伴う、高齢化の老人の  孤独死なる問題も社会面に非常に重大である。
【０００３】
これらに関連のもので、イ）ゴルフ場施設を利用した老人ホーム（特開２００１−２００６４７）  ロ）戸建の提案型老人ホーム（中部経済新聞／平成２１年１月２４日にて）が報告されている。
本考案は、これらの  からみあった課題を有機的に対処するために  狭い土地に、集合住宅用の平屋の１ケ建ての特殊形状のモデル  ハウスを配列して対応することにある。
【考案の概要】
【考案が解決しようとする課題】
【０００４】
前記した様に  高齢化した老人の生きがい、介護と健康維持、地震・集中豪雨などの記録破りの天災が絡んできたことで  家屋からの脱出を容易にする。  また、  自立時の簡易な食べ物なども  自助努力にて作成し  利用することなどで楽しみが出来、核家族などによる老人の孤独死なる問題の解消も  隣近所の付き合いも出来  体を動かしながらの総括的に連係した環境で  太陽光の有効な採光が出来る環境のハウスで対応する。
【０００５】
本考案は、これらのからみあった課題を有機的に対処することを配慮したことで課題を解決することが出来る。
即ち、集合住宅地内で家を建てる周辺の平地には  安価な小高い山地をブルトーザーなどで平地に整理し、集合住宅地の家の近隣に菜園地・健康用の運動場と駐車場を構築し  且、集合住宅の平地のほぼ中央部に介護士の詰所用ナース  ハウジングを設け、その周囲と集合住宅の外側内にトラック状の小道（４６a、４６b、,４６c）を持ち、道の周辺に平屋の１ケ建ての日当りの良い  集合住宅用ハウスを必要な戸数（例えば、１０〜１００軒ほど集合住宅地）の集落で対応する。
【課題を解決するための手段】
【０００６】
本考案は、前記の様な課題に対応するために、例えば、集合住宅地の個別住宅の軒数を１０軒、２０軒、４０軒、８０軒分位の計画をする場合；集合住宅地の想定軒数から平地の集合住宅の大きさ、陽の当り状況などの形態を計画し、それによって  本考案のモデル  ハウス（形態）の向きの配置を決めて  住宅軒数にあった土地形態のところに使用環境条件にあった  土地位置と太陽の日当たり条件から  モデル  ハウスの向きの形態を選択し、個別住宅をセットすることですれば  前記の課題をクリアする。                  
【考案の効果】
【０００７】
本考案の実施例の図２は、平地の集合住宅地に１ケ建ての個別住宅が２０軒のモデル  ハウスで、この平地面の形状に使用する図５、図６の住宅は、本考案の汎用モデル  ハウスの平面図で、1人住まい（原則的に）の平屋建て  であり、
個別住宅地の個数が変わる（地形の面積が大きく変わる）時でも  モデル  ハウスの建坪は不変であるが、配置の地場で陽の当り具合にて外観の向きは変わるもので、よって
【０００８】
イ）  モデル  ハウスが、平面図的に見て四辺形ではなく、梯形（テーパの形状）をなしているのは、本考案の最も特徴なものである。
即ち、トラック状の道（４６a）の隣に１ケ建てハウスを集合住宅地に設置するから平均的に、東側と南側からの太陽の光を平均的に多く採りやすいことからの形状であり、ハウスの構成のパーツもユニット化して  生産性を上げていて、  
（１）天災などの災害時の非常時の仮設住宅の施工時にも早く対応ができる。
ロ）  計画的な集合住宅地の土地の向き（陽光にて）にあったハウスは、地場に対して（容易に１ケ建て位置のハウスの）設置の配列をするため；
（１）隣近所とのプライバシーも適当に確保され、隣との絆もできるので、孤独死などの被害もなくなる。
（２）集合住宅の周囲で散歩（道；４６）・運動（場；４３，４４）などをする事が可能な、計画的な所定地にモデル  ハウスを設置するから集合住宅地内の住民との対話・挨拶も出来て身近感がわく。
ハ）  平屋（１階建て）のハウスのために、非常時・又は  日常時の  階段の使用がないために高齢者には  肉体的にも精神的にも良く、しかも  安全で便利である。
ニ）  ハウスの取付けの  鉄筋入りのセメント・ブロック（２０）の基礎は、１人用のハウスの構造とすべて共通位置にハウスのボルトの取付位置を同寸法に設定し； 
（１）住人の入れ替え変わる時にも、住宅の基礎の  セメント・ブロックの住宅の取付けのアンカー・ボルトは、そのままにして  別個の新築ハウスを持ってきて取替えの互換性があり  早く容易に対応ができる。  
「尚、図２から  テニス・コートおよび  バレー・コート場を持ち、菜園場，駐車場などを持つ  集合住宅地の軒数の２０軒分での  集合住宅地の面積Ａは、敷地の基本寸法  Ｘ；水平方向，Ｙ；垂直方向  とすれば；
例へば、Ｙ＝５０ｍ（ベースにて）、Ｘ＝２・５Ｙ＝１２５ｍ  とすれば  面積Ａ＝Ｙ・Ｘ＝６２５０ｍ２であるから  約１９５３坪の敷地が必要となる。
【図面の簡単な説明】
【０００９】
【図１】本考案の１ケ建て平屋の集合住宅プランの平面図（その１）の第１実施例
【図２】本考案の１ケ建て平屋の集合住宅プランの平面図（その２）の第２実施例（注）図１（その１）と同敷地面積で、倍の住宅軒数の例
【図３】本考案の１ケ建て平屋の集合住宅プランの平面図（その３）の第３実施例
【図４】従来の集合住宅の斜視（平面）図
【図５】本考案の  １ケ建て住宅（モデル  ハウス）の基礎（セメント・ブロック；２０）の平面図（ａ）  モデル  ハウスの  室内の平面(視)的な 配置例図  （ｂ）  モデル  ハウス取付の基礎（セメント・ブロック）の平面図
【図６】本考案の  モデル  ハウス（３０）の  南北方面からの矢視図（ａ）  北側面（ロ視）    （ｂ）  南側面（イ視）  、、、一部に床下倉庫（２２c）図を併記
【図７】本考案の  モデル  ハウス（３０）の  東西方面からの矢視図（ａ）  東側面（ハ視）  （ｂ）  西側面（ニ視）
【考案を実施するための形態】
【００１０】
まず、順を追って以下説明する。
尚、本考案のモデル  ハウスの仕様は、変わらないが  使用する（個別使用住宅の）土地の形状にて  モデル  ハウスの土地に沿う向きが太陽光の取り込み状態（南側に大きい窓を多く、
また、東側にも窓を多く設置する構造に）にて対応する設置むきが、若干変位される取り付けの状態になる。
図１は、本考案の  １ケ建て平屋の集合住宅地の平面図（その１）の第１実施例で、基本的には、１０軒の１ケ建て平屋の集合住宅の標準の形態の平面図である。
集合住宅地の平地の  呼称面積Aの垂直方向の寸法をY、  水平方向寸法をXとすると、呼称面積は、A＝Y・Xとなり、  例えば、Ｙ＝５０ｍ、Ｘ＝２・５Ｙ＝１２５ｍ、とすれば、Ａ＝６２５０ｍ２よって  約１９５３坪が  必要となる。
この面積（A）のほぼ中央部に看護士詰所用のナース  ハウジング（１０）と  憩いの場の芝生の広場（４１）を設け、この周囲に歩道用のトラック状の道（４６a）を、その外側の周囲に１ケ建て平屋のハウス（３０）は、日当り状況を考慮した向きに配置する。尚、ナース  ハウジング（１０）の内部には、打合せ用の長手のテーブル（１）、娯楽用のミニ・ピンポン台（２）、水道（蛇口）（３）、鍋（４）などを設置し、ナース用の受付場（５）も設けている。  また、ハウジングの中央の反対側には、トイレ（６）風呂場（７）、集合住宅（２０人分）用の診察室（８）と応接間（９）も設けている。
【００１１】
モデル  ハウス（３０）の外側には歩道用（４６a）  又は  ミニ自転車用などのトラック状の道（４６b)を配設している。土地の西側（図１の下側）に位置する側には、小型バスなどの（車の）道路（４０）を、左（北側）、右（東側）には個人用の駐車（場）（１６，１７）が出来るように配置している。
集合住宅地の図１の南北の両側（図で水平方向の記号；Ｘ）には  土との触れ合いの健康維持と  自給自足用の季節の菜園用の畑（４８）を設けてネギ・ほうれん草などを植え自給自足ができる様になっている。
又、趣味又は健康（増進）用のミニのバレー・コート（４３）場、ミニ・テニス（４４）場も配設している。
【００１２】
図６は、集合住宅地用の１ケ建てモデル  ハウス（３０）の四方面から見た外観図である。このハウスを取り付けの図５の基礎の  鉄筋入りのセメント・ブロック（２０）は、採光を考慮してハウスの平面は梯形の形状をすることで楕円状のトラックの道（４６a）の外側に住宅を配置する１ケ建ての各個のハウスへの採光を（充分に）取入れる（基礎の配置にする）為に、健康に寄与する為に不定形にしたものである。
尚、トラック状の歩道（４６a）の内側に太陽光を浴びるための憩いの芝生の広場（４１）を設け、また  芝生上の一部には、日影棚（４２）を設けているために楽しい「語らい場」をなしている。
【実施例】
【００１３】
以下、添付図の順を追って、実施例に使用の符号を説明する。
本考案の第一実施例の図１は、１ケ建ての個別住宅が１０軒のモデルの土地形状であり、この土地形状に（使用する上に）本考案の標準用のモデル  ハウス図６は、（原則的に）平面図で、1人住まいの平屋立て  であり、
個別住宅の軒数が変わろう（平地の地形の大きさの面積が変わる）とも平面図のモデルハウスの建坪は不変であり、陽の当り（配置）にて外観（図６）の向は変わらず  室内の仕切り位置が変わるのみである。
【００１４】
本考案の第ニ実施例の図２は、図１の第一実施例と基本ベース（思想と土地の面積）は、同じである。  個別の集合住宅地の軒数をただ倍数増やし、２０戸数にした場合の例である。    
したがって、トラック状の歩道（４６a）、（４６b）対して、ハウスの取付けは、図１と対象の位置にあり、集合住宅のハウスの向きが変わるだけで対応している。
よって、基本的には、図１の第一実施例のハウス（３０）と全く同一であるが、個々の住宅の向きが、陽光を考慮し  ハウスの座面を取付け時の基礎のセメント・ブロック（２０）をトラック状の歩道（４６a）、（４６b）対して  企画通りに線引きして設置される。
あと、標準モデル・ハウス（３０）を設置して個々の集合住宅を配列していく。
【００１５】
図３は、本考案の第三実施例は、土地の大きさの制約を受ける条件から個別住宅に対して、１０軒程度の集合住宅のものである。
基本的な思想は、先例の第一実施例（図１）と変わらないが、集合住宅を円周上に配置してなるので、隣・近所との絆を特に密にした集落の事例になる。
以上の  実施例一から実施例三のもので、集落の住宅数を増やす時は、土地の面積を南
北方向（図ではＸ方向）に増加するのが日当り、土地の有効利用面から効率的である。
具体的例として、山地の高い所をブルトーザーにて平地にする事が採光・土地の有効利便性から推奨される。特に地震による津波対策には、総合面から非常に有効的である。
【００１６】
図４は、土地に余裕がある個人集合住宅の例で  正方形内に約２５軒程度のものを形成した例で、従来に公表されたものである。
これは一様に、家の向きが構成されているものであるが、
本考案の実施例の図１から図３は、狭い土地にハウスを系列的に採光面から配列したもので図４とは、様式が異なる。
【００１７】
１は、会合・軽食用等に使用のナース  ハウジング（１０）内に設置の  テーブル
２は、（ナース  ハウジング内に設置の娯楽用のミニタイプの）ピンポン台   
３は、（ナース  ハウジング内に設置の）  水道（蛇口）      
４は、（ナース  ハウジング内に設置の）  鍋（コンロ）
５は、（ナース  ハウジング内にあるナース専用の）  受付場    
６は、（ナース  ハウジング内にある）  トイレ
７は、（ナース  ハウジング内にある）  風呂場                                    ８は、（ナース  ハウジング内にある臨時診察時の医師用の）  診察室
９は、（ナース  ハウジング内にある）  応接間
１０は、（看護士の担当詰所用の）ナース  ハウジング
１１は、（１ケ建て住宅用の）  ベッド
１２は、（レール滑車付の伸縮用の）  カーテン
１３は、（１ケ建て住宅用の倉庫用の）  板蓋
１４は、（集合住宅地用の）  玄関；    １４a、  １４b、  １４c    
１５は、（集合住宅地用の）  垣根  ；  １５a、   １５b、   １５c、   １５d 
１６は、（集合住宅地用のマイクロ  バス用の）  駐車場（a）、駐車場（b）
１７は、（集合住宅地用の普通乗用車の）  駐車場（a）、駐車場（b）
１８は、（集合住宅地用のハウス用の）立木（a）
１９は、（集合住宅地用の垣根用の）立木（b）
【００１８】
２０は、（モデル  ハウスを設置／取付けの）  鉄筋入のセメント・ブロック；
平面図（図５（b）参照）的に見ると梯形の形状になっているのは、４辺の一番長い辺が、南側に来る位置に選定し基礎の工事（セメント・砂利を混ぜた）のセメント・ブロックを地平面より土地中に深く堀り、その上に小石を置き更に上に砂利・セメント混在のバラスにて  モデルハウス取付けの基礎台を成形する。（図６（b）のＡ部）
尚、ハウス取付け用の（鉄筋入りの）鋼製の  アンカー・ボルト（２４）をセメント・ブロックの中に  約１０本程を鋳込み（植込み）されている。
２１は、（モデルハウス用のセメントの）  玄関土間；  ２１a、  ２１b  
２２は、（モデルハウスに設けた物入れ用の）  床下倉庫のセメント・ブロック；
２２a、  ２２b、  ２２c              
２３は、（モデル  ハウス用の片開き）  玄関戸       
２４は、（ハウスを取付け用の）  アンカー・ボルト
２５は、（モデル  ハウス用のタイル製の）  屋根板  ；２５a、２５b
２６は、（モデル  ハウス用の）  戸袋  ；２６a、  ２６b
２７は、（モデル  ハウス用の）  ガラス窓；  ２７a、    ２７b  
２８は、（モデル  ハウス用の）  ガラス窓；２８a、２８b、２８c、２８d、２８e、２８ｆ
２９は、（モデル  ハウス用の）  天窓；  ２９a、  ２９b、  ２９c
【００１９】
３０は、（集合住宅用の１ケ建て）  モデル  ハウス；ハウスそのものは、通常の木材建築と同じで平面図的に見た形状は、梯形の形状をなしておるのは  セメント・ブロック（２０）に合致する（目的）ためである。
即ち、４辺のうちで長い辺を南側にするために不定形（４辺形ではない）にしたのは、太陽の採光を多く取れるようにしたから；  即ち、大きい窓ガラスに採光が多くとれる為である。
尚、ハウスの  セメント・ブロック（２０）との取付け座面は、当然  木材の１２センチの断面角材にアンカ・  ボルト（２４）孔をあけ（が細工）されている。
３１は、（集合住宅用の１ケ建てハウス用の）  トイレ
３２は、（集合住宅用の１ケ建てハウス用の）  水道口
３３は、（集合住宅用の１ケ建てハウス用の）  コンロ（鍋）
３４は、（集合住宅用の１ケ建てハウス用の）  鏡（台）
３５は、（集合住宅用の１ケ建てハウス用の）  風呂場
３６は、（集合住宅用の１ケ建てハウス用の）  テーブル  ; ３６b
３７は、（集合住宅用の１ケ建てハウス用の）  本棚
３８は、（集合住宅用の１ケ建てハウス用の）  机
３９は、（日常品の物入れ用の）  整理タンス
【００２０】
４０は、（集合住宅地に設けた車用の広い）  道路
４１は、（集合住宅地に設けた  憩い用の）  芝生の広場
４２は、（集合住宅地に設けた  憩い用の芝生上の）  日影棚
４３は、（集合住宅地に設けた体力保持用のミニタイプの）  バレー・コート
４４は、（集合住宅地に設けた体力保持用のミニタイプの）  テニス・コート
４６は、（集合住宅地に設けた）  歩道、（軽）自転車道；４６a、  ４６b、  ４６c
４７は、（集合住宅地に設けた消火兼用の）  給水栓
４８は、（集合住宅地に設けた菜園用の）  畑；  ４８a、４８b、  ４８c、  ４８d
４９は、（集合住宅地に設けた）  庭木；  ４９a、  ４９b、   ４９ c
５０は、平地に１ケ建て平屋のハウス群の集合住宅地のプラン（の中には）；
イ）集合宅地内の中央分には、ナース・ハウジングがあり、
その中には、もろもろの室内設備（例、テーブル、水道・コンロ、風呂場、トイレ、応接室、診察室など）を持ち、  一方、
ロ）ナース  ハウジングの周りには、芝生、トラック状の歩道・軽自転車道、テニスなどの運動場、菜園場があり、且つ、マイクロバス・自家用車の駐車場もあり。
ハ）
５０aは、モデル１０軒の第一実施例；ハウスが  トラツク状の道に配列
５０bは、モデル２０軒の第ニ実施例；住宅地面積は、上記と同じ
５０cは、モデル１０軒の第三実施例：ハウスが  円形状の道に配列
【符号の説明】
【００２１】
１は、テーブル                         
２は、ミニ  ピンポン台   
３は、水道（蛇口）                       
４は、鍋（コンロ）
５は、（ナース用）受付場                   
６は、トイレ
７は、風呂場                             
８は、診察室
９は、応接間                            
１０は、ナース  ハウジング
１１は、ベッド                          
１２は、（レール付滑車）カーテン
１３は、（倉庫用の）板蓋                 
１４は、玄関 ；１４a、  １４b      
１５は、垣根；１５a、１５b、１５c、１５d 
１６は、駐車場                          
１７は、駐車場；１７a、  １７b
１８は、立木（a）                       
１９は、立木（b）
【００２２】
２０は、（鉄筋入の）セメント・ブロック
２１は、玄関土間； ２１a、２１b
２２は、(床下の倉庫の)  セメント・ブロツク       
２３は、玄関戸
２４は、（ハウス取付用の）アンカー・ボルト
２５は、（タイル製の）屋根板；２５a、２５b       
２６は、戸袋
２７は、ガラス窓（a）；２７a、２７b、２７c
２８は、ガラス窓（b）；２８a、２８b、２８c、２８d、２８e
２９は、ガラス天窓；  ２９a、２９b、  ２９c  
【００２３】
３０は、１ケ建て モデル  ハウス          
３１は、（モデル  ハウス用の）トイレ
３２は、（モデル  ハウス用の）水道口
３３は、（モデル  ハウス用の）コンロ(鍋)   
３４は、（モデル  ハウス用の）鏡台    
３５は、（モデル  ハウス用の）風呂場     
３６は、（モデル  ハウス用の）テーブル
３７は、本棚                            
３８は、机
３９は、整理タンス                      
【００２４】
４０は、道路
４１は、芝生の広場                           
４２は、日影棚
４３は、（ミニタイプ用の）バレー・コート 
４４は、（ミニタイプ用の  テニス・コート      
４６は、歩道、（軽）自転車道；４６a、４６b、４６c 
４７は、（防災兼用の）給水栓
４８は、（菜園用の）畑；４８a、４８b、４８c、４８d
４９は、庭木；  ４９a、４９b、 ４９ c
５０は、（ハウス群の集合住宅地の）ハウス  プラン  ；５０a、５０b、５０c
【００２５】
Ｘa、 Ｘ b、 Ｘ c  ；  （集合住宅地のプランの）  水平方向の寸法        
Ｙa、 Ｙ b、 Ｙ c  ；  （集合住宅地のプランの）  垂直方向の寸法
ＧＬ  ；  地平線
Ａ  ；  （図６にて）  床下の倉庫（２２c）の一部切断部  符号
イ、ロ、ハ、ニ；  （モデル  ハウスの外観用の）矢視方向（に使用）の  記号  ;
【図１】
0003181160.tif 000003
【図２】
0003181160.tif 000004
【図３】
0003181160.tif 000005
【図４】
0003181160.tif 000006
【図５】
0003181160.tif 000007
【図６】
0003181160.tif 000008
【図７】
0003181160.tif 000009
【手続補正書】
【提出日】平成24年11月13日(2012.11.13)
【手続補正１】
【補正対象書類名】明細書
【補正対象項目名】全文
【補正方法】変更
【補正の内容】
【考案の詳細な説明】
【技術分野】
【０００１】
本考案は、１戸建て集合住宅用のモデルのハウス（３０）に関するものである。
【背景技術】
【０００２】
近年は、高齢化のニュースが頻繁に話題となっている。
高齢化については、いろいろな課題が発生している。
まず、課題で高齢化に伴う介護と住宅の問題があり、これは国益に関する膨大な経済も絡んでいる。
一方、近年に地震・集中豪雨などの記録破りの天災での避難対応で、仮設住宅での高齢化の介護と住宅の問題も絡んできたことで問題も非常に複雑になっている。
他方、核家族に伴う高齢化の老人の孤独死なる問題も社会面で非常に重大である。
【０００３】
これらに関連のもので、イ）ゴルフ場施設を利用した老人ホーム（特開２００１−２００６４７）  ロ）１戸建ての提案型老人ホーム（中部経済新聞／平成２１年１月２４日にて）が報告されている。
本考案は、これらのからみあった課題を有機的に対処するために狭い土地に、集合住宅用の平屋の１戸建ての特殊形状のモデルのハウスを配列して対応することにある。
【考案の概要】
【考案が解決しようとする課題】
【０００４】
前記した様に高齢化した老人の生きがい、介護と健康維持、地震・集中豪雨などの記録破りの天災が絡んできたことで家屋からの脱出を容易にする。また、自立時の簡易な食べ物なども自助努力にて作成し利用することなどで楽しみが出来、核家族などによる老人の孤独死なる問題の解消も隣近所の付き合いも出来て体を動かしながらの総括的に連係した環境で太陽光の有効な採光が出来る環境のハウスで対応する。
【０００５】
本考案は、これらのからみあった課題を有機的に対処することを配慮したことで課題を解決することが出来る。
即ち、集合住宅地内で家を建てる（周辺の）平地には、安価な小高い山地をブルトーザーなどで平地にし、集合住宅地の家の近隣に菜園地・健康用の運動場と駐車場を構築し  且つ、平地の集合住宅のほぼ中央部に介護士の詰所用ナースハウジングを設け、その周囲と集合住宅の外側にトラック状の小道を設け、道の周辺に平屋の１戸建ての日当りの良い集合住宅用のハウスを必要な戸数（例えば、１０戸〜１００戸ほどの集合住宅）の集落で対応する。    
【課題を解決するための手段】
【０００６】
本考案は、前記の様な課題に対応するために例えば、集合住宅地の個別住宅の戸数を１０戸、２０戸、４０戸、８０戸分位で計画をする場合；
集合住宅地の想定戸数から平地の集合住宅の大きさ、陽の当り状況などの形態を計画し、それによって本考案のモデルのハウス（形態）の向きの配置を決めて住宅戸数にあった土地形態のところに個別住宅をセットする事で「土地の形態と太陽の日当たりの向きを吟味
したものにするため」に使用環境条件にあった土地と太陽の日当たり条件からモデルのハウスの向きの形態を選択すれば前記の課題をクリアする。                            
【考案の効果】
【０００７】
本考案の実施例の図２は、平地の集合住宅地に１戸建ての個別住宅が２０戸のモデル  のハウスで、この平地面の形状に使用する図５、図６の住宅は、本考案の汎用モデルのハウスの平面図で、1人住まい（原則的に）の平屋建てであり、
個別住宅地の戸数が変わる（地形の面積が大きく変わる）時でもモデルのハウスの建坪は不変であるが、配置地場で陽の当り具合にて外観の向きは変わる。
【０００８】
イ）モデルのハウスが、平面図的に見て四辺形ではなく、梯形（テーパの形状）をなしているのは、本考案の最も特徴的なものである。
即ち、（土地の有効利用で）１戸建てのハウスを集合住宅地に設置したときに平均的に、東側と南側からの太陽の光を総括的に多く採りやすいことからの形状であり、ハウスの構成のパーツもユニット化して原価を安く、生産性を上げている。  
（１）天災などの災害時の非常時の仮設住宅の施工時にも早く対応ができる。  
ロ）計画的な集合住宅地の土地の向き（陽光にて）にあったハウスは、地場に対して（容易に１戸建て位置のハウスの）設置の配列をするため；
（１）隣近所とのプライバシーも適当に確保され、隣との絆もできるので、孤独死などの被害もなくなる。
（２）集合住宅の周囲で散歩・運動などをする事が可能な  計画的な所定地にモデルハウスを設置するから集合住宅地内の住民との対話・挨拶も出来て身近感がわく。
ハ）平屋（１階建て）のハウスのために、非常時・又は日常時の階段の使用がないために高齢者には肉体的にも精神的にも良く、安全で便利である。
ニ）ハウスの取付けの鉄筋入りのセメント・ブロック（２０）の基礎は、１人用のハウスの構造とすべて共通位置にハウスのボルトが同寸法に設定してある；
（１）住人の入れ替え変わる時にも、住宅の基礎のセメント・ブロックの住宅の取付けのアンカー・ボルトは、そのままにして別個の新築ハウスを持ってきての入れ変え取替えの互換性があり早く容易に対応ができる。  
「尚、図２から  テニス・コートおよびバレー・コート場を持ち、菜園場，駐車場などを持つ集合住宅地の戸数の２０戸分での集合住宅地の面積Ａは、敷地の基本寸法Ｘ；水平方向，Ｙ；垂直方向から、、、
例へば、Y＝５０ｍ（基本ベースにて）、X＝２・５Y＝１２５ｍとすれば、面積Ａ＝Ｙ・X＝６２５０平方メートルであるから約１９５３坪の敷地が必要となる。              
【図面の簡単な説明】
【０００９】
【図１】本考案の１戸建て平屋の集合住宅プランの平面図（その１）の第１実施例
【図２】本考案の１戸建て平屋の集合住宅プランの平面図（その２）の第２実施例  注）図１（その１）と同敷地面積で、倍の住宅軒数の例
【図３】本考案の１戸建て平屋の集合住宅プランの平面図（その３）の第３実施例
【図４】従来の集合住宅の斜視（平面）図
【図５】本考案の１戸建て住宅（モデルハウス）の基礎（セメント・ブロック）の平面図  （ａ）モデルハウスの室内の平面(視)的な 配置例図    （ｂ）モデルハウス取付の基礎（セメント・ブロック）の平面図
【図６】本考案のモデルハウス（３０）の南北方面からの矢視図  （ａ）北側面（ロ視）ｂ）南側面（イ視）、、、一部に床下倉庫（２２c）図を併記
【図７】本考案のモデルハウス（３０）の東西方面からの矢視図（ａ）東側面（ハ視）（ｂ）西側面（ニ視）
【考案を実施するための形態】
【００１０】
まず、順を追って以下説明する。尚、本考案のモデルハウスの仕様は、変わらないが使用する（個別使用住宅の）土地の形状にてモデルハウスの土地に沿う向きが太陽光の取り込み状態（南側に大きい窓を多く、また、東側にも窓を多く設置する構造）にて対応する設置むきが、若干変位される取り付けの状態になる。
図１は、本考案の１戸建て平屋の集合住宅地の平面図（その１）の第１実施例で、基本的には、１０戸の１戸建て平屋の集合住宅の標準の形態の平面図である。
集合住宅地の平地の呼称面積Aの垂直方向の寸法をY、水平方向寸法をXとすると、  呼称面積は、A＝Y・Xとなり、例えば、実例的にＹ＝５０ｍ、Ｘ＝２・５Ｙ＝１２５ｍ、とすれば、Ａ＝６２５０平方メートル  よって約１９５３坪必要となる。
この面積（A）のほぼ中央部に看護士詰所用のナースハウジング（１０）と憩いの場の芝生の広場（４１）を設け、この周囲に歩道用のトラック（４６a）を、その外側の周囲に１戸建て平屋のハウス（３０）は、日当り状況を考慮した向きに配置する。尚、
ナースハウジング（１０）の内部には、打合せ用の長手のテーブル（１）、娯楽用のミニ・ピンポン台（２）、水道（蛇口）（３）、鍋（４）などを設置し、ナース用の受付場（５）も設けている。また、ハウジングの中央の反対側には、トイレ（６）風呂場（７）、集合住宅（２０人分）用の診察室（８）と応接間（９）も設けている。
【００１１】
モデルハウス（３０）の外側には歩道用（４６a）又は、ミニ自転車用などのトラック（４６b)状の道を配設している。土地の西側（図１の下側）に位置する側には、小型    バスなどの車道（４０）を、左（北側）、右（東側）には個人用の駐車（場）（１６，１７）が出来るように配置している。
集合住宅地の図１の南北の両側（図で水平方向の記号；Ｘ）には  土との触れ合いの健康維持と  自給自足用の季節の菜園用地（４８）を設けてネギ・ほうれん草などを植え自給自足ができる様になっている。
又、趣味又は健康（増進）用のミニのバレー・コート（４３）場、ミニ・テニス（４４）場も配設している。
【００１２】
図６は、集合住宅地用の１戸建てモデルハウス（３０）の四方面から見た外観図である。このハウスを取り付けの図５の基礎の  鉄筋入りのセメント・ブロック（２０）は、採光を考慮してハウスの平面は梯形の形状をすることで楕円状のトラックの道（４６a）の外側に住宅を配置する１戸建ての各個のハウスへの採光を（充分に）取入れる（基礎の配置にする）為に、健康に寄与する為に不定形にしたものである。
尚、歩道用のトラック（４６a）の内側に太陽光を浴びるための憩いの芝生の広場（４１）を設け、また芝生上の一部には、日影棚（４２）を設けているために楽しい「語らい場」をなしている。
【実施例】
【００１３】
以下、添付図の順を追って、実施例に使用の符号を説明する。
本考案の第一実施例の図１は、１戸建ての個別住宅が１０戸のモデルの土地形状であり、この土地形状に（使用する上に）本考案の標準用のモデルハウス図６は、（原則的に）平面図で、1人住まいの平屋立てであり、
個別住宅の戸数が変わろう（平地の地形の大きさの面積が変わる）とも平面図のモデルハウスの建坪は不変であり、陽の当り（配置）にて外観（図６）の向は変わらず室内の仕切り位置が変わるのみである。
【００１４】
本考案の第ニ実施例の図２は、図１の第一実施例と基本ベース（思想と土地の面積）は、同じである。個別の集合住宅地の戸数をただ倍数増やし、２０戸数にした場合の例である。    
したがって、トラック状の歩道（４６a）、（４６b）対して、ハウスの取付けは、図１と対象の位置にあり、集合住宅のハウスの向きが変わるだけで対応している。
よって、基本的には、図１の第一実施例のハウス（３０）と全く同一であるが、個々の住宅の向きが、陽光を考慮しハウスの座面を取付け時の基礎のセメント・ブロック（２０）をトラック状の歩道（４６a）、（４６b）対して企画通りに線引きして設置される。
あと、標準モデル・ハウス（３０）を設置して個々の集合住宅を配列していく。
【００１５】
図３は、本考案の第三実施例は、土地の大きさの制約を受ける条件から個別住宅に対して、１０軒程度の集合住宅のものである。
基本的な思想は、先例の第一実施例（図１）と変わらないが、集合住宅を円周上に配置してなるので、隣・近所との絆を特に密にした集落の事例になる。
以上の  実施例一から実施例三のもので、集落の住宅数を増やす時は、土地の面積を南北方向（図ではＸ方向）に増加するのが日当り、土地の有効利用面から効率的である。
具体的例として、山地の高い所をブルトーザーにて平地にする事が採光・土地の有効利便性から推奨される。特に地震による津波対策には、総合面から非常に有効的である。    
【００１６】
図４は、土地に余裕がある個人集合住宅の例で正方形内に約２５軒程度のものを形成した例で、従来に公表されたものである。
これは一様に、家の向きが構成されているものであるが、
本考案の実施例の図１から図３は、狭い土地にハウスを系列的に採光面から配列したもので図４とは、様式が異なる。
【００１７】
１は、会合・軽食用等に使用の、ナースハウジング（１０）内に設置のテーブル
２は、（ナースハウジング内に設置の娯楽用のミニタイプの）ピンポン台    
３は、（ナースハウジング内に設置の）水道（蛇口）      
４は、（ナースハウジング内に設置の）鍋（コンロ）
５は、（ナースハウジング内にあるナース専用の）受付場    
６は、（ナースハウジング内にある）トイレ
７は、（ナースハウジング内にある）風呂場                                        ８は、（ナースハウジング内にある臨時診察時の医師用の）診察室
９は、（ナースハウジング内にある）応接間
１０は、（看護士の担当詰所用の）ナースハウジング
１１は、（１戸建て住宅用の）ベッド
１２は、（レール滑車付の伸縮用の）カーテン
１３は、（１戸建て住宅用の倉庫用の）板蓋
１４は、（集合住宅地用の）玄関；１４a、１４b、１４c    
１５は、（集合住宅地用の）垣根；１５a、１５b、１５c、１５d 
１６は、（集合住宅地用のマイクロバス用の）駐車場（a）、駐車場（b）
１７は、（集合住宅地用の普通乗用車の）駐車場（a）、駐車場（b）
１８は、（集合住宅地用のハウス用の）立木（a）
１９は、（集合住宅地用の垣根用の）立木（b）
【００１８】
２０は、（モデルハウスを設置／取付けの）鉄筋入のセメント・ブロック；
平面図（図５（b）参照）的に見ると梯形の形状になっているのは、４辺の一番長辺が、南側に来る位置に選定し基礎の工事（セメント・砂利を混ぜた）のセメント・ブロックを地平面より土地中に深く堀り、その上に小石を置き更に上に砂利・セメント混在のバラスにてモデルハウス取付けの基礎台を成形する。（図６（b）のＡ部）
尚、ハウス取付け用の（鉄筋入りの）鋼製のアンカー・ボルト（２４）をセメント・ブロックの中に約１０本程を鋳込み（植込み）されている。
２１は、（モデルハウス用のセメントの）玄関土間；２１a、２１b  
２２は、（物入れ用の）床下倉庫のセメント・ブロック；２２a、２２b、２２c        ２３は、（モデルハウス用の片開き）玄関戸       
２４は、（ハウスを取付け用の）アンカー・ボルト
２５は、（モデルハウス用のタイル製の）屋根板；２５a、２５b
２６は、（モデルハウス用の）戸袋；２６a、２６b
２７は、（モデルハウス用の）ガラス窓；２７a、２７b  
２８は、（モデルハウス用の）ガラス窓；２８a、２８b、２８c、２８d、２８e、２８f 
２９は、（モデルハウス用の）天窓；２９a、２９b、２９c
【００１９】
３０は、（集合住宅用の１戸建て）モデルハウス；
ハウスそのものは、通常の木材建築と同じで平面図的に見た形状は、梯形の形状をなしておるのはセメント・ブロック（２０）に合致する（目的）ためである。
即ち、４辺のうちで長い辺を南側にするために不定形（４辺形ではない）にしたのは、太陽の採光を多く取れるようにしたから；即ち、大きい窓ガラスに採光が多くとれる為である。
尚、ハウスのセメント・ブロック（２０）との取付け座面は、当然木材の１２センチの断面角材にアンカ・ボルト（２４）孔が（細工され）あけられている。
３１は、（集合住宅用の１戸建てハウス用の）トイレ
３２は、（集合住宅用の１戸建てハウス用の）水道口
３３は、（集合住宅用の１戸建てハウス用の）コンロ（鍋）
３４は、（集合住宅用の１戸建てハウス用の）鏡（台）
３５は、（集合住宅用の１戸建てハウス用の）風呂場
３６は、（集合住宅用の１戸建てハウス用の）テーブル; ３６b
３７は、（集合住宅用の１戸建てハウス用の）本棚
３８は、（集合住宅用の１戸建てハウス用の）机
３９は、（日常品の物入れ用の）整理タンス
【００２０】
４０は、（集合住宅地に設けた車用の広い）  道路
４１は、（集合住宅地に設けた憩い用の）芝生の広場
４２は、（集合住宅地に設けた憩い用の芝生上の）日影棚
４３は、（集合住宅地に設けた体力保持用のミニタイプの）バレー・コート
４４は、（集合住宅地に設けた体力保持用のミニタイプノの）テニス・コート
４６は、（集合住宅地に設けた）歩道、（軽）自転車道； ４６a、４６b、４６c
４７は、（集合住宅地に設けた消火兼用の）給水栓
４８は、（集合住宅地に設けた菜園用の）畑；４８a、４８b、４８c、４８d
４９は、（集合住宅地に設けた）庭木；４９a、４９b、４９ c
５０は、平地に１戸建て平屋のハウス群の集合住宅地のプラン（の中には）；
イ）集合住宅内の中央部には、ナースハウジングがありその中には、諸々の室内設備（例；テーブル、水道・コンロ、風呂場、トイレ、応接室、診察室など）を持ち、
ロ）ナースハウジングの周りには、芝生、トラック状の歩道・軽自転車道、テニスな      どの運動場、菜園場があり、且つ、マイクロバス・自家用車の駐車場もある。  
ハ）５０aは、モデル１０軒の第一実施例；一戸建てのハウスがトラツク状の道に配列。
５０bは、モデル２０軒の第ニ実施例；住宅地面積は、第一実施例と同面積。
５０cは、モデル１０軒の第三実施例：円形状の道に配列した例。
【符号の説明】
【００２１】
１は、テーブル                            
２は、ミニピンポン台 
３は、水道（蛇口）                          
４は、鍋（コンロ）
５は、（ナース用）受付場                     
６は、トイレ
７は、風呂場                                
８は、診察室
９は、応接間                              
１０は、ナースハウジング
１１は、ベッド                            
１２は、（レール付滑車）カーテン
１３は、（倉庫用の）板蓋                 
１４は、玄関；１４a、１４b      
１５は、垣根；１５a、１５b、１５c、１５d 
１６は、駐車場                         
１７は、駐車場；１７a、１７b
１８は、立木（a）                     
１９は、立木（b）
【００２２】
２０は、（鉄筋入の）セメント・ブロック
２１は、玄関土間； ２１a、２１b
２２は、(床下の倉庫の)  セメント・ブロツク      
２３は、玄関戸
２４は、（ハウス取付用の）アンカー・ボルト
２５は、（タイル製の）屋根板；２５a、２５b   
２６は、戸袋
２７は、ガラス窓（a）；２７a、２７b、２７c
２８は、ガラス窓（b）；２８a、２８b、２８c、２８d、２８e
２９は、ガラス天窓；２９a、２９b、２９c  
【００２３】
３０は、１戸建てモデルハウス      
３１は、（モデルハウス用の）トイレ
３２は、（モデルハウス用の）水道口
３３は、（モデルハウス用の）コンロ(鍋)  
３４は、（モデルハウス用の）鏡台    
３５は、（モデルハウス用の）風呂場      
３６は、（モデルハウス用の）テーブル
３７は、本棚                    
３８は、机
３９は、整理タンス                      
【００２４】
４０は、道路
４１は、芝生の広場                          
４２は、日影棚
４３は、（ミニタイプ用の）バレー・コート 
４４は、（ミニタイプ用の）テニス・コート      
４６は、歩道、（軽）自転車道；４６a、４６b、４６c 
４７は、（防災兼用の）給水栓
４８は、（菜園用の）畑；４８a、４８b、４８c、４８d
４９は、庭木；４９a、４９b、４９ c
５０は、（ハウス群の集合住宅地の）ハウスプラン；５０a、５０b、５０c
【００２５】
Ｘa、Ｘ b、Ｘ c；(集合住宅地の)プランの水平方向の寸法        
Ｙa、Ｙ b、Ｙ c；(集合住宅地の)プランの垂直方向の寸法
ＧＬ；地平線
Ａ；（図６にて）床下の倉庫（２２c）の一部切断部の記号
イ、ロ、ハ、ニ；（モデルハウスの外観の）矢視方向（に使用）の記号  ;
【手続補正２】
【補正対象書類名】実用新案登録請求の範囲
【補正対象項目名】全文
【補正方法】変更
【補正の内容】
【実用新案登録請求の範囲】
【請求項１】
ハウス取付けの座面の基礎のセメント・ブロックの形状を、平面図で見た時にハウスの取付け座面と同形の大きさの梯形状に形成し、
ハウスとの結合のためにアンカー・ボルトを前記セメント・ブロックに植え込み、
ハウス取付けのハウス座面の木材を前記セメント・ブロックと同形の大きさの梯形状に形成した際に、
前記アンカー・ボルトにナットを介することで前記ハウス座面を結合可能に構成したことを特徴とするハウス取付け基礎の構造。
【請求項２】
ユニット化した前記の梯形状のハウスを、前記アンカー・ボルトと前記ナットによって結合可能に構成したことを特徴とする請求項１に記載のハウス取付け基礎の構造。
【請求項３】
前記セメント・ブロックの形状を、四辺のうち一辺の長さを大きくした前記ハウスの梯形状としたことを特徴とする請求項１に記載のハウス取付け基礎の構造。